(57)【要約】【課題】外観品位を損なうことなく本体内部を冷却できる撮像装置を実現することを目的とする。【解決手段】撮像装置本体と、前記撮像装置本体にストラップ紐が着脱可能な取り付け穴が形成され、前記取り付け穴は、前記ストラップ紐を巻きつけるための軸と、前記軸を挟むように配置された２つの開口と、前記２つの開口を前記ストラップ紐が挿通可能に繋げられた通し穴を有し、前記通し穴の内壁に、前記撮像装置本体の内部と外部の空気を行き来する第１の通気孔を少なくとも１つ備えている。【選択図】  図２
2015114518.tif 000002
【特許請求の範囲】
【請求項１】
撮像装置本体と、
前記撮像装置本体にストラップ紐が着脱可能な取り付け穴が形成され、
前記取り付け穴は、
前記ストラップ紐を巻きつけるための軸と、
前記軸を挟むように配置された２つの開口と、
前記２つの開口を前記ストラップ紐が挿通可能に繋げられた通し穴を有し、
前記通し穴の内壁に、前記撮像装置本体の内部と外部の空気を行き来する第１の通気孔を少なくとも１つ備えていること
を特徴とする撮像装置。
【請求項２】
前記通し穴の径は前記ストラップ紐の径よりも十分大きく、前記軸に前記ストラップ紐の取り付け後も、前記通気孔および前記通し穴を塞ぐことのないように形成されていることを特徴とする請求項１に記載の撮像装置。
【請求項３】
前記第１の通気孔とは異なる位置に第２の通気孔を有し、
第１の通気孔と第２の通気孔のどちらか一方が吸気孔となり、その他方が排気孔となり、
撮像装置本体の内部にある熱源と前記排気孔を結ぶ流通経路近傍に前記吸気孔が配置されていることを特徴とする請求項１又は請求項２に記載の撮像装置。
【請求項４】
前記第１の通気孔および前記第２の通気孔の投影上を塞ぐようにリブが形成され、
前記リブが前記熱源によって暖められた空気が前記排気孔まで流通していくガイドになることを特徴とする請求項１乃至請求項３の何れか１項に記載の撮像装置。
【請求項５】
前記リブは前記暖められた空気の流通を妨げないように、複数に分割され、かつ、互い違いに配置されていることを特徴とする請求項４に記載の撮像装置。
【発明の詳細な説明】
【技術分野】
【０００１】
本発明は、撮像装置、特にビデオカメラの小型化、薄型化、外観の見栄えといったデザイン的な機能を改良するための技術に関するものである。
【背景技術】
【０００２】
近年のデジタルカメラの普及はめざましく、マルチな機能を備えたデジタルカメラが開発されている。一方では、小型化、薄型化、外観の見栄え等のデザイン的な機能も追及されており、デジタルカメラでも明確に把持部としてデザインされているものだけでなく、外観全体が把持部となるようなデジタルカメラも存在している。そうした中で、マルチな機能を備えることによる消費電力増加に対して、小型化、薄型化による表面積・体積の減少に伴い放熱効果も減少しており、デジタルカメラ自体の内部温度や外装温度が上昇してしまうという問題がある。そのため特許文献１のように、着脱可能なバッテリーを持つデジタルカメラにおいて、熱を帯びやすいバッテリーの取り付け面に放熱孔を配置し、バッテリー装着時は放熱孔を覆い隠すことができ、本体内部やバッテリーを放熱できる技術がある。
【先行技術文献】
【特許文献】
【０００３】
【特許文献１】特開2008-172418号公報
【発明の概要】
【発明が解決しようとする課題】
【０００４】
しかしながら、上記特許文献１はバッテリーと本体の間にリブを設けて、バッテリーと本体の間に明確な隙間を確保しなければならない。前述の通りバッテリー装着時は本体の放熱孔を隠すことはできるが、外観に隙間を作らなければいけないため、外観品位を保つ効果として十分ではない。
【０００５】
そこで本発明は、外観品位を損なうことなく本体内部を冷却できる撮像装置を提供することを目的とする。
【課題を解決するための手段】
【０００６】
本発明による撮像装置は、
撮像装置本体と、
前記撮像装置本体にストラップ紐が着脱可能な取り付け穴が形成され、
前記取り付け穴は、
前記ストラップ紐を巻きつけるための軸と、
前記軸を挟むように配置された２つの開口と、
前記２つの開口を前記ストラップ紐が挿通可能に繋げられた通し穴を有し、
前記通し穴の内壁に、前記撮像装置本体の内部と外部の空気を行き来する第１の通気孔を少なくとも１つ備えていること
を特徴としている。
【発明の効果】
【０００７】
本発明によれば、外観全体が把持部になるような製品において、ストラップ穴の奥に通気孔を配置することにより、外観品位を損なうことなく本体内部の冷却を実現できる。
【図面の簡単な説明】
【０００８】
【図１】本発明の実施形態に関わるデジタルビデオカメラの外観斜視図である。
【図２】本発明の実施形態に関わる下面方向から見たデジタルビデオカメラの後面側を示した図である。
【図３】本発明の実施携帯に関わるデジタルビデオカメラのスタンド開閉状態の違いによる光軸中心の傾きを示した図である。
【図４】本発明の実施形態に関わるデジタルビデオカメラの分解斜視図である。
【図５】本発明の実施形態に関わるシステムブロック図である。
【図６】本発明の実施形態に関わるストラップ取り付け穴および空気穴周辺の空気の流れについて示す図である。
【発明を実施するための形態】
【０００９】
＜実施形態＞
本発明のの実施形態として、撮像装置（デジタルカメラ）の中でもデジタルビデオカメラを用いて詳細な説明を行う。
【００１０】
図１に本発明の実施形態に関わるデジタルビデオカメラ１０の外観斜視図を示す。
【００１１】
デジタルビデオカメラ１００は扁平な略直方体をしており、高さ方向を上下方向、短辺方向を左右方向、長辺方向を前後方向とし、図１（Ａ）に示されている面は上面・前面・左面側であり、図１（Ｂ）に示されている面は下面・後面・右面側を示した図である。図２は下面方向から見たデジタルビデオカメラ１０の後面側を示した図である。
【００１２】
デジタルビデオカメラ１０は正面側（被写体側）にフロントユニット２０１が配置されている。フロントユニット２０１は光軸中心ａ（前後方向に平行）を持つ撮像光学系１０１、マイク１０３、スピーカ１０４を有し、撮像光学系１０１および撮像光学系１０１の左右に配置されたマイク１０３、あるいは外部マイク端子１０６に挿入された外部マイク（不図示）により取得される音声と共に映像記録することができる。
【００１３】
デジタルビデオカメラ１０は左側面側にLカバーユニット３０１が配置されている。Lカバーユニット３０１は、電源スイッチ３０２、ダイアル３０３を備えており、電源ＬＥＤ窓１０５、外部マイク端子１０６、ヘッドフォン端子１０７、電源端子１０８が配置されている。電源スイッチ３０２を前後方向に操作することにより、電源のオン/オフを切り替えることができ、電源オン状態においては電源ＬＥＤ窓１０５より光が発せられ、暗所などにおいても電源のオン/オフ状態を確認することができる。ダイアル３０３により、マイク１０３および外部マイクの感度を調整でき、記録音声レベルの調整することができる。電源端子１０８はＣＡ電源プラグを接続することによりデジタルビデオカメラ１０本体へ電源供給することができる。Ｌカバーユニットに、空気穴３０４および空気穴３０５が設けられているが、その役割に関しては後述する。
【００１４】
デジタルビデオカメラ１０は上面側にトップカバーユニット４０１が配置されている。トップカバーユニット４０１は、上面側から視認可能な表示ユニット１０２が配置されている。表示ユニット１０２は撮像画像や再生画像の表示を行うＬＣＤ等で構成されており、表面には撮影者がタッチすることで操作入力を可能とするタッチパネルが配置されていることが多い。
【００１５】
デジタルビデオカメラ１０は右側面側にＲカバーユニット５０１が配置されている。Ｒカバーユニット５０１は、トリガーキー５０２、端子カバー５０３、再生キー５０４が配置されている。トリガーキー５０２を押すことにより、電源オン状態においてＲＥＣ/ＲＥＣ ＰＡＵＳＥの状態を切り替えることができる。端子カバー５０３は、端子カバー５０３の内側に配置されたＵＳＢ端子およびＨＤＭＩ（登録商標）端子（不図示）にゴミなどの不純物が入るのを防ぐことができる。再生キー５０４を押すことにより録画モードと再生モードの切り替えを行うことができる。映像再生時には、スピーカ１０４やヘッドフォン端子１０７に挿入されたヘッドフォン（不図示）から音声を出力することができる。Ｒカバーユニットに、空気穴５０５および空気穴５０６が設けられているが、その役割に関しては後述する。
【００１６】
またデジタルビデオカメラ１０は底面側にボトムカバーユニット６０１が配置されている。ストラップ取り付け穴６０５がボトムカバーユニット６０１の後面側の両角に配置され、両角にあることでストラップだけでなく、ネックストラップなど両釣りするタイプのストラップにも対応可能である。カード/バッテリー蓋６０２が二つのストラップ取り付け穴６０５の間に配置されており、内部にＳＤカードソケットとバッテリーボックスを備え、ＳＤカードやバッテリーを挿入することができる。三脚取り付け穴６０３が、ボトムカバーユニット６０１の略中央に配置されており、三脚を取り付けることができる。スタンド６０４が三脚取り付け穴６０３をコの字にて取り囲むように配置されている。
【００１７】
スタンド６０４の機能に関して、図３を用いて説明する。
【００１８】
図３はスタンド６０４の開閉状態の違いによる光軸中心ａの傾きを表わしている。
【００１９】
図３（Ａ）は、スタンド６０４が開状態にあり、スタンド６０４先端側とデジタルビデオカメラ１０の後面側を接地させた場合の図である。スタンド６０４の開き角αの変化によって、ビデオカメラ１０の光軸中心ａと接地面との角度βが変化する構成になっており、仰角を調整することができる。
【００２０】
図３（Ｂ）は、スタンド６０４が閉状態にあり、デジタルビデオカメラ１０の下面側を接地させた場合の図である。スタンド６０４の光軸中心ａと接地面が平行になっている。
【００２１】
図３（Ｃ）は、スタンド６０４が開状態にあり、スタンド６０４先端側とデジタルビデオカメラ１０の前面側を接地させた場合の図である。スタンド６０４の開き角αの変化によって、ビデオカメラ１０の光軸中心ａと接地面との角度βが変化する構成になっており、俯角を調整することができる。
【００２２】
次に図４を用いて実施形態であるビデオカメラの主要な構成を説明する。
【００２３】
図４はデジタルビデオカメラ１０を分解した斜視図である。デジタルカメラ１０は、中央部に配置される主基板１００および電池ボックスユニット７０１、前面部に配置されるフロントユニット２０１、上面部に配置されるトップカバーユニット４０１、背面部及び底面部に配置されるボトムカバーユニット６０１、右側面部に配置されるＲカバーユニット５０１、左側面部に配置されるＬカバーユニット３０１によって構成されている。
【００２４】
主基板１００は、電源ＩＣなどの電源部１１４（左側後方点線丸部）などの電気部品と、ＨＤＭＩやＵＳＢなどの端子を備えている。また主基板１００の右側後方に無線通信基板１１０が接続されている。電池ボックスユニット７０１は、電源基板７０２を保持しており、電源基板７０２上にコネクタ（不図示）を実装しており、挿入される電池接点部（不図示）と接続し、電池から電源を供給することができる。その他、ユニット構成は図１にて示した通りである。
【００２５】
図４を用いて実施形態であるビデオカメラの組み方を簡単に説明する。まず、フロントユニット２０１に対して主基板１００を取り付ける。次に、Ｌカバーユニット３０１を左側面方向から主基板１００に対して組み込む。次に、Ｒカバーユニット５０１を右側面方向から主基板１００に対して組み込む。次に、上面カバーユニット４０１を主基板１００に取り付ける。次に、電池ボックスユニット７０１を主基板１００に対して組みつける。
【００２６】
最後に底面カバーユニット６０１をＬカバーユニット３０１およびＲカバーユニット５０１に対して外形を合わせるように組みつける。
【００２７】
上記各ユニットは不図示のビスにより固定され、一体化が完了する。
【００２８】
図５は、デジタルビデオカメラにおけるシステムブロック図を表している。本図を用いて、本撮像装置の内部動作システムを簡単に説明する。尚、本図において他図と同様の構成要素には同様の符号を付し、図示を省略する。
【００２９】
撮像光学系１０１が光学情報を受け、光電変換機能により、光学情報が電気情報（画像情報）へ変換される。
【００３０】
本体部は、主基板１００を有する。主基板１００の制御部１１１は、画像・音声情報の入出力、圧縮・変換等の画像処理、記録・再生等の録再処理、等に代表される情報処理を、主基板１００に設けられたメモリ１１２と通信しながら行う。発光部１１３は各ＬＥＤ素子により光を発光し、透明材料で形成された電源ＬＥＤ窓１０５によって導光され、撮影者へ視認可能に、外観へ露光される。電源部１１４は電池や外部電源ケーブルを介して外部電源より電力を得ることが可能である。各電源部１１４より得られる電力は制御部１１１へ電送される。制御部１１１へ電送られた電力は、制御部１１１により各駆動要素に適した電圧に電圧変換が行われた後、各駆動要素の電源として各駆動要素へ電送される。外部接続端子部１１５は各外部接続端子部に外部接続ケーブルが接続されると、その接続を各接続端子が検知し、制御部１１１へ検知信号を伝達する。
【００３１】
制御部１１１は、接続された外部接続ケーブルに応じて、画像情報の入出力等の制御を行う。画像の記録を行う場合は、制御部１１１が、外部記憶装置部１１７へ画像情報を伝達し、外部記録メディア（マイクロＳＤカード等）へと撮影画像を記録させる。操作部１１６に該当する要素として、例えばトリガーキー５０２、再生キー５０４が該当する。各操作部が操作されると制御部１１１へ操作情報を伝達する。制御部１１１はこの操作情報を元に、画像記録や再生モードへのモード切り替えを行う。
【００３２】
無線通信基板１１０は主基板１０１と接続されており、外部無線機器と無線で情報通信が可能である。
【００３３】
表示ユニット部１０２は制御部１１１と電気的に接続され、制御部１１１との間で情報の伝達が可能に構成される。例えば、撮像光学系１０１で撮影されている画像情報が制御部１１１に電送され、制御部１１１により画像処理された後、制御部１１１が表示ユニット部１０２にその画像情報を電送し、画像情報を画像処理した後、ユーザーに向けて撮影画像を表示させる。また、撮影者が表示ユニット部１０２に含まれるタッチパネルより操作した操作情報は、制御部１１１へと電送される。制御部１１１は、この操作情報に応じて、各構成要素の制御を行う。
【００３４】
上記システムにおける本デジタルビデオカメラ１０において、デジタルビデオカメラ１０の動作中に主基板１００など電気信号をやり取りする基板が発熱する。その中でも主な発熱源は、本体内における各信号をやり取りし制御を行う制御部１１１と電源自体を供給する電源部１１４と外部機器と無線で情報通信をする無線通信基板１１０である。
【００３５】
図６(Ａ)〜 図６（Ｃ）を用いてデジタルビデオカメラの１０のストラップ取り付け穴６０５および空気穴５０５周辺の熱源からの空気の流れ（放熱効果）について説明する。
【００３６】
図６（Ａ）は、デジタルビデオカメラ本体１０を後面からみた図である。
【００３７】
図６（Ｂ）はＲカバーユニットにおける空気穴５０５のうち、最も左に配置された穴の中心を通る左右方向に垂直な平面にて切断した部分断面図（図６（Ａ）Ｘ−Ｘ断面）である。
【００３８】
図６（Ｃ）はＲカバーユニットにおける空気穴５０５の中心をとおる上下面に平行な平面にて切断した部分断面図（図６（Ａ）Ｙ−Ｙ断面）である。
【００３９】
図６（Ｂ）を用いて、ビデオカメラ１０上下方向の空気の流れに関して説明する。図中の黒矢印は熱源によって温められた空気（ａ）を表わし、白抜き矢印は外気である冷たい空気（ｂ）を表わしている。矢印で示した空気の流れがすべてではなく、放熱効果の高い経路のみを示している。まず、無線通信基板１１０が電池ボックスユニット７０１の下面側に固定されており、発熱源として周辺の空気を暖めている。温められた空気（ａ）は、本体内を上昇していこうとする。
【００４０】
しかし、Ｒカバーユニットによって形成されたリブ５０７によって遮られ、リブ５０７をガイドとし、空気穴５０５から温められた空気（ａ）が放出される。それと同時に、ボトムカバーユニット６０１のストラップ取り付け穴６０５の奥に配置された空気穴５０６より、本体外部から内部へ冷たい空気（ｂ）が進入していく。リブ５０７は、空気穴５０６から見える内部部品の目隠しの役割も担っている。
【００４１】
図６（Ｃ）を用いて、製品水平方向の空気の流れに関して説明する。黒矢印は熱源によって温められた空気（ａ）を表わしている。矢印で示した空気の流れがすべてではなく、放熱効果の高い経路のみを示している。前述した内容と同様に、無線通信基板１１０が発熱源として周辺の空気を暖めている。温められた空気（ａ）は、本体内に拡散され、空気穴５０５から温められた空気（ａ）が放出される。それと同時に、空気穴５０６より本体外部から内部へ冷たい空気が進入してくる。ボトムカバーユニット６０１に形成されたリブ６０６および６０７は、空気穴５０５から見える内部部品の目隠しの役割も担っており、リブを分離しずらして配置することで、空気の通り道としている。
【００４２】
これにより通信基板１１０周辺の空気が冷やされ、無線通信基板１１０自身や温められた空気（ａ）によって、温められている外装やその他の周辺基板の温度上昇を防ぐことが可能になる。
【００４３】
この無線通信基板１１０が本例における熱源として設定しているが、その限りではなく、主基板１００上の制御部１１１や電源部１１４（本デジタルビデオカメラにおけるＬ側の同様の位置に配置）などでもよい。
【００４４】
またストラップ取り付け穴６０５は、外観部に２つの開口部と２つの開口部の間に軸を持ち、軸を中心に２つの開口部が略Ｕ字状につながるように形成された通し穴で形成されている。ストラップを通した際も、ストラップ取り付け穴６０５の通し穴の径は、ストラップ紐の径とりも十分大きく、空気穴３０５、５０６および、通し穴を塞ぐことがなく、空気の流れを止めることのないように形成されている。
【００４５】
また今回のように、無線通信基板１１０のような熱源が、製品上下方向において、ストラップ取り付け穴６０５およびその空気穴５０６と、空気穴５０６の間の高さにくるように配置することにより、熱い空気が下から上に流れていくという熱の流れ上、放熱効率がよい。
【００４６】
ただし、配置はその限りではなく、カバー同士の隙間等から空気の出入りがされるので片側でもよく、特にストラップ取り付け穴６０５の内部のみであれば、外観に穴を作ることなく、外観品位を保つことができる。
【００４７】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００４８】
10     デジタルビデオカメラ
100    主基板
101    撮像光学系
102    表示ユニット
103    マイク
104    スピーカ
105    電源LED窓
106    外部マイク端子
107    ヘッドフォン端子
108    電源端子
109    電源コネクタ
110    無線通信基板
111    制御部
112    メモリ
113    発光部
114    電源部
115    外部接続端子
116    操作部
117    外部記憶装置部
201    フロントユニット
301    Lカバーユニット
302    電源スイッチ
303    ダイアル
304、305、505、506   空気穴
401    トップカバーユニット
501    Rカバーユニット
502    トリガーキー
503    端子カバー
504    再生キー
507    リブ
601    ボトムカバーユニット
602    カード/バッテリー蓋
603    三脚取り付け穴
604    スタンド
605    ストラップ取り付け穴
606、607      リブ
701    電池ボックスユニット
702    電源基板
【図１】
2015114518.tif 000003
【図２】
2015114518.tif 000004
【図３】
2015114518.tif 000005
【図４】
2015114518.tif 000006
【図５】
2015114518.tif 000007
【図６】
2015114518.tif 000008